【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
少なくとも１つのポリアニリンと、少なくとも１つのコロイド形成ポリマー酸との水性分散物を含むことを特徴とする組成物。
【請求項２】
少なくとも１つのポリアニリンと、少なくとも１つのコロイド形成ポリマー酸とを含む組成物を含有する少なくとも一層を含むことを特徴とする電子デバイス。
【請求項３】
少なくとも１つのコロイド形成ポリマー酸の存在下で重合性アニリンモノマーを含むことを特徴とする、少なくとも１つのポリアニリンの水性分散物の製造方法。
【請求項４】
ポリアニリンと、少なくともコロイド形成ポリマー酸との水性分散物から析出されたバッファ層を含むことを特徴とする有機電子デバイス。
【手続補正２】
【補正対象書類名】明細書
【補正対象項目名】０１４１
【補正方法】変更
【補正の内容】
【０１４１】
特定の好ましい実施形態を参照しながら、新規組成物は詳細に記載されたが、修正および変更が、記載および請求されるものの精神および範囲内であることは理解されるだろう。
なお、本発明の好ましい態様としては以下のものを挙げることができる。
１．少なくとも１つのポリアニリンと、少なくとも１つのコロイド形成ポリマー酸との水性分散物を含むことを特徴とする組成物。
２．前記ポリアニリンが、式ＩＩまたは式ＩＩＩ
【化１】
2007529607.tif 000001
（式中、
ｎは、０〜４の整数であり；
ｍは、１〜５の整数であるが、ただし、ｎ＋ｍ＝５であり；そして
Ｒ１は、独立して、各存在で同一であるか、もしくは異なるように選択され、かつアルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、または１つもしくは複数のスルホン酸、カルボン酸、ハロ、ニトロ、シアノもしくはエポキシ部分によって置換されたアルキルから選択されるか；あるいは任意の２つのＲ１基が一緒になって、任意選択的に１つもしくは複数の二価の窒素、イオウまたは酸素原子を含んでもよい３、４、５、６または７員の芳香族環もしくは脂環式環を完成するアルキレンまたはアルケニレン鎖を形成してもよい）
から選択される式を有する少なくとも１つのアニリンモノマー単位を有することを特徴とする、１に記載の組成物。
３．ｍが５であることを特徴とする、２に記載の組成物。
４．前記コロイド形成ポリマー酸が、ポリマースルホン酸、ポリマーカルボン酸、ポリマーアクリル酸、ポリマーリン酸、ポリマーホスホン酸およびそれらの混合物から選択されることを特徴とする、１に記載の組成物。
５．前記ポリマー酸がフッ素化ポリマースルホン酸を含むことを特徴とする、１に記載の組成物。
６．前記ポリマースルホン酸が、ペルフルオロアルキレンスルホン酸を含むことを特徴とする、５に記載の組成物。
７．導電性ポリマー、金属粒子、グラファイト繊維、グラファイト粒子、炭素ナノチューブ、炭素ナノ粒子、金属ナノワイヤ、有機導電性インク、有機導電性ペースト、無機導電性インク、無機導電性ペースト、電荷輸送材料、半導電性無機酸化物ナノ粒子、絶縁性無機酸化物ナノ粒子、圧電性酸化物ナノ粒子、圧電性ポリマー、焦電性酸化物ナノ粒子、焦電性ポリマー、強誘電性酸化物ナノ粒子、強誘電性ポリマー、分散剤、架橋剤およびそれらの組合せから選択される少なくとも１つをさらに含むことを特徴とする、１に記載の組成物。
８．少なくとも１つのポリアニリンと、少なくとも１つのコロイド形成ポリマー酸とを含む組成物を含有する少なくとも一層を含むことを特徴とする電子デバイス。
９．組成物が３．５より高いｐＨを有することを特徴とする、８に記載の層。
１０．薄型電界効果トランジスター、電界効果抵抗デバイス、光センサー、光スイッチ、発光ダイオード、発光ダイオードディスプレー、フォトトランジスター、光電管、ＩＲ検出器、ダイオードレーザー、電気化学ディスプレー、電磁シールドデバイス、固体電解質コンデンサー、エネルギー貯蔵デバイス、メモリ記憶デバイス、バイオセンサー、光導電セル、光起電力デバイス、太陽電池またはダイオードであることを特徴とする、８に記載のデバイス。
１１．少なくとも１つのコロイド形成ポリマー酸の存在下で重合性アニリンモノマーを含むことを特徴とする、少なくとも１つのポリアニリンの水性分散物の製造方法。
１２．任意の順序で、水と、アニリンモノマーと、コロイド形成ポリマー酸と、酸化剤と、任意選択的に触媒との組合せを形成する工程をさらに含むが、ただし、アニリンモノマーおよび酸化剤の少なくとも一方が添加される時にコロイド形成ポリマー酸の少なくとも一部分が存在することを特徴とする、１１に記載の方法。
１３．ポリマー酸が、ポリマースルホン酸、ポリマーカルボン酸、ポリマーアクリル酸、ポリマーリン酸、ポリマーホスホン酸およびそれらの混合物から選択され、そして前記アニリンモノマーが式Ｉ
【化２】
2007529607.tif 000002
（式中、
ｎは、０〜４の整数であり；
ｍは、１〜５の整数であるが、ただし、ｎ＋ｍ＝５であり；そして
Ｒ１は、独立して、各存在で同一であるか、もしくは異なるように選択され、かつアルキル、アルケニル、アルコキシ、シクロアルキル、シクロアルケニル、アルカノイル、アルキルチオ、アリールオキシ、アルキルチオアルキル、アルキルアリール、アリールアルキル、アミノ、アルキルアミノ、ジアルキルアミノ、アリール、アルキルスルフィニル、アルコキシアルキル、アルキルスルホニル、アリールチオ、アリールスルフィニル、アルコキシカルボニル、アリールスルホニル、カルボン酸、ハロゲン、シアノ、または１つもしくは複数のスルホン酸、カルボン酸、ハロ、ニトロ、シアノもしくはエポキシ部分によって置換されたアルキルから選択されるか；あるいは任意の２つのＲ１基が一緒になって、任意選択的に１つもしくは複数の二価の窒素、イオウまたは酸素原子を含んでもよい３、４、５、６または７員の芳香族環もしくは脂環式環を完成するアルキレンまたはアルケニレン鎖を形成してもよい）
を有することを特徴とする、１１に記載の方法。
１４．前記ポリマー酸がフッ素化スルホン酸を含むことを特徴とする、１３に記載の方法。
１５．過硫酸アンモニウム、過硫酸ナトリウム、過硫酸カリウムおよびそれらの混合物から選択される酸化剤の添加をさらに含むことを特徴とする、１３に記載の方法。
１６．硫酸第二鉄、塩化第二鉄およびそれらの混合物から選択される触媒の使用をさらに含むことを特徴とする、１３に記載の方法。
１７．組合せが、エーテル、アルコール、アルコールエーテル、環状エーテル、ケトン、ニトリル、スルホキシド、アミドおよびそれらの組合せから選択される補助分散液をさらに含むことを特徴とする、１３に記載の方法。
１８．組合せが、水溶性無機酸、水溶性有機酸、コロイド形成ポリマー酸およびそれらの組合せから選択される補助酸をさらに含むことを特徴とする、１３に記載の方法。
１９．反応生成物を少なくとも１つのイオン交換樹脂と接触させる工程をさらに含むことを特徴とする、１３に記載の方法。
２０．ポリアニリンと、少なくともコロイド形成ポリマー酸との水性分散物から析出されたバッファ層を含むことを特徴とする有機電子デバイス。
２１．薄型電界効果トランジスター、電界効果抵抗デバイス、光センサー、光スイッチ、フォトトランジスター、バイオセンサー、光電管、ＩＲ検出器、光起電力デバイス、光導電セル、太陽電池、バイオセンサー、発光ダイオード、発光ダイオードディスプレー、ダイオードレーザー、エレクトロクロミックディスプレーダイオード、固体電解質コンデンサー、エネルギー貯蔵デバイスまたはメモリ記憶デバイスであることを特徴とする、２０に記載のデバイス。